【手続補正書】
【提出日】平成21年5月18日(2009.5.18)
【手続補正１】
【補正対象書類名】明細書
【補正対象項目名】００１５
【補正方法】変更
【補正の内容】
【００１５】
液晶パネル部１５における画素セルは、垂直走査ドライバ１３から引き出されるゲート線Ｇ１〜Ｇｍと、データドライバ１４から引き出されるデータ線Ｄ１〜Ｄｎとの交点に対応する位置に在るものとされる。そして、これら垂直走査ドライバ１３及びデータドライバ１４が、例えばこれまでにも知られているような所定のタイミングで、ゲート線、データ線を駆動することで、画素セルに対応する液晶層の偏光方向が変化して、液晶パネル部１５の背面から前面に透過しようとする光の変調が行われる。この結果、液晶パネル部１５の画面上で画像が表示される。
【手続補正２】
【補正対象書類名】明細書
【補正対象項目名】００２０
【補正方法】変更
【補正の内容】
【００２０】
そこで、所要数のＬＥＤセル１００を接続したものを１つのユニットとして形成する。この具体例として、図２（ｂ）には、３つのＬＥＤセル１００を連結するようにして接続して、１ユニットを形成している。ここでは、このユニットをＬＥＤセルユニット１０１ということにする。１つのＬＥＤセル１００が備える発光ダイオードの色としては、Ｒ，Ｇ，Ｂがそれぞれ２つずつとなるので、ＬＥＤセル１００における発光源としての発光ダイオード数を、(2R,2G,2B)として表現することとする。図２（ｂ）の例では、ＬＥＤセルユニット１０１が３つのＬＥＤセル１００から成るので、3(2G,2R,2B)＝(6G,6R,6B)として表すことができる。
【手続補正３】
【補正対象書類名】明細書
【補正対象項目名】００２２
【補正方法】変更
【補正の内容】
【００２２】
なお、上記図２及び図３により説明したバックライト部１６（ＬＥＤセル１００、ＬＥＤセルユニット１０１、バックライトパネル１１０）としての構成はあくまでも一例であり、ＬＥＤセル１００に備えられるＲ，Ｇ，Ｂごとの発光ダイオード数や発光ダイオードの配置態様、ＬＥＤセルユニット１０１を形成するＬＥＤセル１００の数や、ＬＥＤセル１００の連結態様、また、バックライトパネル１１０を形成するＬＥＤセルユニット１０１の数や配置態様などは適宜変更されてかまわないものである。
【手続補正４】
【補正対象書類名】明細書
【補正対象項目名】００３０
【補正方法】変更
【補正の内容】
【００３０】
この図において示される定電流回路２２０−１の構成としては、ＮＰＮ型のトランジスタＱ21（増幅素子）のコレクタがLED直列回路１３０のカソード側の端部と接続され、エミッタは、駆動電流検出抵抗Ｒ1を介してグランドに接続される。また、トランジスタＱ21のベースは、オペアンプ（演算増幅器）２２１の出力端子と接続される。オペアンプ２２１の非反転入力端子には、基準電圧Vrefが入力される。この基準電圧Vrefは、図１に示したロジック用電源２１から出力される直流電源電圧を利用して生成される。また、オペアンプ２２１の反転入力端子は、トランジスタＱ21のエミッタと、駆動電流検出抵抗Ｒ1の接続点に対して接続されている。なお、オペアンプ２２１の電源も、ロジック用電源２１から出力される直流電源電圧を利用している。
【手続補正５】
【補正対象書類名】明細書
【補正対象項目名】００３９
【補正方法】変更
【補正の内容】
【００３９】
続いて、上記のようにして電源オン／オフスイッチ２０２がオフとされている状態から、制御部１８の制御によってオンに切り換えられ、直流電源電圧Ｖｃｃの印加が開始されたとする。この直流電源電圧Ｖｃｃの印加開始タイミングに対応した、駆動電流検出抵抗Ｒ1の両端電圧である検出電圧Ｖｒ、オペアンプ２２１の出力端子の電位Ｖｂ、及び直流電源電圧Ｖｃｃ（LED直列回路１３０のアノード側に得られる電位）の波形を図８（ａ）に示す。
図８（ａ）では、時点ｔ０のタイミングで、電源オン／オフスイッチ２０２がオフからオンに切り換えられたものとされる。これに応じて、時点ｔ０においては、直流電源電圧Ｖｃｃが０レベルから所定のレベルに立ち上がることになる。
ここで、上記もしているように、オペアンプ２２１の出力端子の電位Ｖｂは、時点ｔ０以前から、オペアンプ２２１の最大出力値Lv12が生じている状態にある。このために、時点ｔ０において、直流電源電圧Ｖｃｃの印加が開始されてトランジスタＱ21が導通すると、過大な駆動電流ＩLEDを流すことになる。図８（ａ）の時点ｔ０において、検出電圧Ｖｒが急峻に立ち上がり、定常値Ｌｖ1よりも遙かに大きな値（Lv11）にまで上昇しているのは、課題とされる量の駆動電流ＩLED（検出電流Ｉｆ）が流れていることに対応して現れたものである。
【手続補正６】
【補正対象書類名】明細書
【補正対象項目名】００４０
【補正方法】変更
【補正の内容】
【００４０】
そして、この時点ｔ０以降、オペアンプ２２１には、上記のようにして立ち上がった検出電圧Ｖｒを反転入力端子から入力して、差動増幅回路の動作を行うようにされるが、このときのオペアンプ２２１としては、出力端子から、最大出力値Lv12の電位Ｖｂを出力させている状態から、目標値の駆動電流ＩLED（検出電流Ｉｆ）に応じた目標電圧値Ｌｖ2を出力させる状態に収束させていくように動作することになる。
そして、図８（ａ）では、時点ｔ０以降において、目標電圧値Ｌｖ2に収束して定電流制御が安定したとされるタイミングを時点ｔ２として示している。つまり、オペアンプ２２１の出力（電位Ｖｂ）が、最大出力値Lv12から目標電圧値Ｌv2に収束する期間としては、時点ｔ０から時点ｔ２までに対応する期間Ｔ2となる。
なお、このようにして、直流電源電圧Ｖｃｃがオンに切り換えられた時点ｔ０から、目標電圧値Ｌｖ2に収束する時点までの期間に対応する時間長ついては、定電流応答時間、ともいうことにする。また、図８（ａ）において、定電流応答時間を終了した時点ｔ２以降は、目標値の駆動電流ＩLEDで一定となるようにして制御される状態か維持される。時点ｔ２以降において得られている検出電圧Ｖｒの電圧値Ｌv1は、目標値の駆動電流ＩLED（検出電流Iｆ）が流れている状態に対応して現れるものである。
【手続補正７】
【補正対象書類名】明細書
【補正対象項目名】００４２
【補正方法】変更
【補正の内容】
【００４２】
そこで、本実施の形態としては、上記したような不都合を回避するために、図６に示す定電流回路２２０−１に代えて、図７に示す定電流回路２２０−２としての構成を採ることとした。なお、図７において、図６と同一部分には同一符号を付して説明を省略する。
図７に示す定電流回路２２０−２においては、回路切換スイッチ２２２が備えられる。この回路切換スイッチ２２２は、端子ｔｍ1に対して、端子ｔｍ2、tm3のいずれかが択一的に切り換えられるようにして接続されるようになっている。そして、端子tm1はオペアンプ２２１の反転入力端子と接続され、端子ｔｍ2は、オペアンプ２２１の出力端子と接続される。また、端子ｔｍ3は、トランジスタＱ21のエミッタと電流検出抵抗Ｒ1の接続点に対して接続される。
また、回路切換スイッチ２２２の切り換えは、制御部１８が出力する制御信号cnt2によって行われるようになっている。つまり、回路切換スイッチ２２２の切り換えは、制御部１８が制御するものとされる。また、スイッチ２２２の実際としては、例えば半導体素子などを利用したアナログスイッチを採用すればよい。
【手続補正８】
【補正対象書類名】明細書
【補正対象項目名】００５１
【補正方法】変更
【補正の内容】
【００５１】
この図１０に示す構成と、本実施の形態としての図７（あるいは図９）の構成とを比較してみると、両者の構成において、ともに、直流電源電圧Ｖｃｃの出力源（図７では電源回路部２０１、図１０ではDC-DCコンバータ１２０）がLED直列回路１３０に接続される回路系に対して、直流電源電圧Ｖｃｃの印加をオン／オフ可能なスイッチ手段（図７では電源オン／オフスイッチ２０２、図１０ではトランジスタＱ11）を備えているものとして見て取れる。
しかしながら、実際の動作として、図１０の構成にあるような定電流制御機能が与えられたDC-DCコンバータ１２０と、トランジスタＱ11をオン／オフ駆動する構成の組み合わせでは、トランジスタがオン／オフするのに応じて、DC-DCコンバータ１２０から出力される直流電源電圧Ｖｃｃが或る変動範囲において変動するような状態となって、LED直列回路１３０に対して印加がほぼ継続されるような状態となる。この結果は、例えばトランジスタＱ11がオン／オフするのに応じて、LED直列回路１３０に流れる駆動電流ＩLEDの量が増減するような状態となる。そのうえで、トランジスタＱ11のオン／オフ期間をＰＷＭ制御すれば、可変されるオン／オフ期間に応じて、単位時間あたりにおいてLED直列回路１３０に流れる駆動電流量を可変するようにしてコントロールすることができ、調光制御が実現される。このようにして、調光制御を行うのにあたっては、必ずしも、トランジスタＱ11のオン／オフに応じた、直流電源電圧Ｖｃｃのオン／オフについての応答速度は高速である必要がない。また、図１０の構成において直流電源電圧Ｖｃｃの応答速度が低速であることの要因は、DC-DCコンバータ１２０についての安定化制御、定電流制御の応答速度と、トランジスタＱ11のオン／オフ周期などであるために、この図１０の構成を基として、直流電源電圧Ｖｃｃの応答速度を高くしようとするのは、困難である。そして、このことは、図１０に示す構成のままでは、例えば部分発光駆動に対応した高速な応答動作を得ることが難しいということも意味している。